(57)【特許請求の範囲】
【請求項１】
一方のロック部に他方のロック部を挿入してロックするロック機構であって、
一方のロック部は、ロック基体部と、該ロック基体部上の両側に対向するように配置された嵌合枠部と、前記ロック基体部上の前記嵌合枠部間に設けられたロック爪を有し、
他方のロック部は、ロック基体部と、該ロック基体部上の両側に対向するように配置された嵌合条部と、前記ロック基体部上の前記嵌合条部間に配置され、挿入方向に対して後端部が前記ロック基体部と一体化して連結され、挿入方向に対して先端部の両側が前記嵌合条部と一体化して連結された、梁状の可撓性のある面と、該可撓性のある面上に設けられたロック爪を有し、
前記嵌合枠部の内面は挿入方向に向かって全体にわたり挿入口断面積が減少するよう傾斜しており、
前記嵌合条部は挿入方向に向かって全体にわたり嵌合条断面積が減少するよう傾斜しており、
前記嵌合枠部内面と、前記嵌合条部外面とが、面接触している状態で嵌合する、
ことを特徴とするロック機構。
【請求項２】
前記嵌合条部は挿入方向に向かって全体にわたり嵌合条断面積が減少するよう厚さおよび幅が傾斜する部分を有することを特徴とする請求項１記載のロック機構。
【発明の詳細な説明】
【０００１】
【発明の属する技術分野】
本発明は、ロック部間のロック機構、例えば電気接続箱のロック部とブラケットのロック部とのロック機構に関する。
【０００２】
【従来の技術】
自動車の電気配線に使用する電気接続箱は、ブラケットを介して車体に搭載されることがある。電気接続箱へのブラケットの取り付けは、それぞれにロック部を設け、前記ロック部同士をロックさせて行う。
即ち、図４（ａ）に示すように、ブラケット１のロック部２にはロック爪３と、ロック爪３の両側に対向するように嵌合条部４が設けられている。ロック爪３は、図５に示すように、片端部が固定された梁のような構造を有する可撓部５の先端に設けられている。
また、図４（ｂ）に示すように、電気接続箱１１の側壁に設けられたロック部１２には、ロック爪１３と、ロック爪１３の両側に対向するように嵌合枠部１４が設けられている。
上記ロック部２とロック部１２のロックは、ロック部２の２個の嵌合条部４をロック部１２の２個の嵌合枠部１４に下側から挿入して行う。そのために、嵌合条部４は挿入方向の断面がＬ字状をしており、また、嵌合枠部１４は挿入方向の断面がコ字状をしている。
【０００３】
図５に示すように、ロック部２の対向する２個の嵌合条部４を、ロック部１２の対向する２個の嵌合枠部１４に下側から挿入すると、ロック爪３はロック爪１３に当たるが、さらに挿入すると、可撓部５が撓むことにより（図５では、可撓部５は左側へ撓む）、ロック爪３はロック爪１３を乗り越えて、ロック爪１３と係合する。この状態で、嵌合条部４の上端は、嵌合枠部１４上端の蓋部１４ａの内側に近接しているので、ロック部２とロック部１２は相互に、上下方向に大きくずれることはなく、ロックされる。
【０００４】
通常、電気接続箱１１にブラケット１を取り付けて車両に搭載した後は、電気接続箱１１とブラケット１を取り外すことは想定されていない。
【０００５】
【発明が解決しようとする課題】
しかしながら、上述の電気接続箱１１のロック部１２とブラケット１のロック部２とのロック機構には、以下のような問題があった。即ち、
１）図６に示すように、ロック部１２の嵌合枠部１４とロック部２の嵌合条部４の間には、嵌合した状態で若干の空隙が存在し、嵌合条部４を嵌合枠部１４に容易に挿入できるようになっている。そのため、電気接続箱１１をブラケット１を介して車体に搭載した場合、車体の振動により電気接続箱１１は前後左右にがたつき、嵌合条部４と嵌合枠部１４の嵌合面やロック爪３とロック爪１３の係合面に摩耗を生じる。
２）ロック部２には下方に、ロック部１２には上方に作用する力はすべて、ロック爪３とロック爪１３の係合面で受けとめられるため、大きな力が作用すると、ロック爪３とロック爪１３は損傷を受けることがある。
【０００６】
【課題を解決するための手段】
本発明は上記問題点を解決すべくなされたもので、請求項１記載の発明は、一方のロック部に他方のロック部を挿入してロックするロック機構であって、一方のロック部は、ロック基体部と、該ロック基体部上の両側に対向するように配置された嵌合枠部と、前記ロック基体部上の前記嵌合枠部間に設けられたロック爪を有し、他方のロック部は、ロック基体部と、該ロック基体部上の両側に対向するように配置された嵌合条部と、前記ロック基体部上の前記嵌合条部間に配置され、挿入方向に対して後端部が前記ロック基体部と一体化して連結され、挿入方向に対して先端部の両側が前記嵌合条部と一体化して連結された、梁状の可撓性のある面と、該可撓性のある面上に設けられたロック爪を有し、前記嵌合枠部の内面は挿入方向に向かって全体にわたり挿入口断面積が減少するよう傾斜しており、前記嵌合条部は挿入方向に向かって全体にわたり嵌合条断面積が減少するよう傾斜しており、前記嵌合枠部内面と、前記嵌合条部外面とが、面接触している状態で嵌合する、ことを特徴とするロック機構である。
【０００７】
また、請求項２記載の発明は、請求項１記載の発明において、前記嵌合条部は挿入方向に向かって全体にわたり嵌合条断面積が減少するよう厚さおよび幅が傾斜する部分を有することを特徴とするものである。
【０００９】
請求項１記載の発明によれば、嵌合枠部の内面は挿入方向に向かって全体にわたり挿入口断面積が減少するよう傾斜しており、また、前記嵌合条部は挿入方向に向かって全体にわたり嵌合条断面積が減少するよう傾斜しているため、嵌合条部を嵌合枠部内に容易に挿入することができる。
【００１０】
また、前記嵌合枠部内面と、前記嵌合条部外面とが、面接触している状態で嵌合しているため、振動などの外力が作用しても、互いにロックされたロック部が相互にがたつくことはなくなり、嵌合条部と嵌合枠部の嵌合面や相互に係合されたロック爪の係合面に摩耗が生じるのを防ぐことができる。また、相互にロックされたロック部に挿入方向と逆方向（相互に係合されたロック爪の係合を外す方向）の力が作用した場合、面接触している嵌合条部の外面と嵌合枠部の内面間に摩擦力が発生して、ロック爪の係合面に作用する力は減少するので、ロック爪の損傷を防ぐことができる。
【００１１】
さらに、相互に係合されるロック爪のうち少なくとも一方は、挿入方向に対して後端部がロック基体部と一体化して連結され、挿入方向に対して先端部の両側が嵌合条部と一体化して連結された、梁状の可撓性のある面の上に設けられているため、相互に係合したロック爪の係合は、外れにくくなる。
【００１２】
【発明の実施の形態】
以下、図面に基づいて本発明の実施の形態を詳細に説明する。
図１（ａ）、（ｂ）はそれぞれ、本発明にかかるロック機構の一実施形態である、相互にロックするブラケット２１のロック部２２および電気接続箱３１のロック部３２の斜視図である。
また、図２は、ロック部２２をロック部３２に挿入し、ロック部２２とロック部３２をロックさせた状態の断面図である。
さらに、図３（ａ）は図２のＡ−Ａ断面図、図３（ｂ）は図３（ａ）のＢ−Ｂ断面図、および図３（ｃ）は図３（ａ）のＣ−Ｃ断面図である。
【００１３】
図１（ａ）において、２３はロック爪、２４はロック爪２３の両側に対向するように配置された嵌合条部である。ロック爪２３は、挿入方向に伸びた帯状の可撓性のある面２５上に一体に形成されている。可撓性のある面２５は、図２に示すように、挿入方向の一端部２５ａがロック部２２のロック基体部２２ａと一体化して連結され、他端部２５ｂは両サイドがロック部２２の対向する嵌合条部２４、２４と一体化して連結されている。言い換えると、可撓のある面２５は両端部が固定された梁のような構造をしている。
【００１４】
また、図１（ｂ）において、３３はロック爪、３４はロック爪３３の両側に対向するように配置された嵌合枠部である。ロック爪３３はロック基体部３２ａに一体化して固定されている。
【００１５】
上述のブラケット２１のロック部２２と電気接続箱３１のロック部３２とのロックは、ロック部２２の対向する嵌合条部２４を、ロック部３２の対向する嵌合枠部３４に挿入して行う。
【００１６】
本実施形態が従来例と異なる特徴的なことは、嵌合枠部３４の内面は挿入方向に向かって挿入口断面積が減少するよう傾斜しており、嵌合条部２４は挿入方向に向かって嵌合条断面積が減少するよう傾斜しており、嵌合条部２４と嵌合枠部３４は嵌合した状態で面接触していることである。
【００１７】
即ち、嵌合条部２４は、図１（ａ）、図３（ａ）に示すように、挿入方向に直交する断面がＬ字状をなして、張出部２４ａを有している。張出部２４ａは挿入方向に直交する断面が四辺形（厚さＴ、幅Ｗ）であって、図３（ｂ）に示すように、厚さＴが挿入方向に薄くなるようにテーパを有し、また、図３（ｃ）に示すように、幅Ｗが挿入方向に狭くなるように外側が傾斜を有している。言い換えると、嵌合条部２４は、挿入方向に向かって嵌合条断面積が減少するように傾斜している。
【００１８】
また、嵌合枠部３４は、図１（ｂ）、図３（ａ）に示すように、挿入方向に直交する断面がコ字状をなしており、その内面は挿入方向に向かって挿入口断面積が減少するように傾斜し、嵌合条部２４の張出部２４ａを嵌合枠部３４に挿入させて、嵌合条部２４と嵌合枠部３４が嵌合した状態では、嵌合枠部３４と張出部２４ａが面接触するようになっている。
言い換えると、図３（ｂ）に示すように、嵌合枠部３４は、嵌合条部２４の張出部２４ａが挿入する内面３４ａ、３４ａが傾斜して、張出部２４ａの厚さＴと同様に、挿入方向にテーパを有し、また、図３（ｃ）に示すように、嵌合枠部３４の内面３４ｂは、張出部２４ａと同様に、挿入方向に傾斜を有している。
【００１９】
上述のロック部２２とロック部３２をロックさせるために、ロック部２２の対向する嵌合条部２４を、ロック部３２の対向する嵌合枠部３４に挿入していくと、ロック部２２のロック爪２３はロック部３２のロック爪３３に当接する。さらに嵌合条部２４を挿入すると、ロック爪２３は可撓性のある面２５の撓みによりロック爪３３を乗り越えて、図２に示すように、ロック爪２３とロック爪３３は係合し、ロック部２２とロック部３２がロックされる。
【００２０】
ロックされた状態で、ロック部２２に下方に力が作用し、相対的にロック部３２に上方に力が作用すると、ロック爪２３とロック爪３３の係合により、ロック部２２とロック部３２の相対的動きが止められる。また、ロック部２２に上方に力が作用し、あるいはロック部３２に下方に力が作用すると、ロック部２２の上端がロック部３２の嵌合枠部３４の蓋部３４ｃの内側に当接し、ロック部２２とロック部３２の相対的動きが止められる。
【００２１】
本実施形態では、上述のように、嵌合条部２４は、張出部２４ａが挿入方向に向かって嵌合条断面積が減少するように傾斜しており、また、嵌合枠部３４の内面は、挿入方向に向かって挿入口断面積が減少するように傾斜している。したがって、嵌合条部２４を嵌合枠部３４内に容易に挿入することができる。
また、嵌合した状態で、嵌合条部２４の張出部２４ａと嵌合枠部３４は面接触しているため、振動などによりロック部２２とロック部３２が相互にがたつくことはない。
さらに、ロックされたロック部２２とロック部３２に、挿入方向と逆方向（ロック爪２３とロック爪３３の係合を外す方向）の力が作用した場合、面接触している嵌合条部２４と嵌合枠部３４の間に摩擦力が発生して、ロック爪２３とロック爪３３の係合面に作用する力は減少するので、ロック爪２３、３３の損傷を防ぐことができる。
【００２２】
本実施形態では、前述のように、ロック爪２３が形成された可撓性のある面２５は、挿入方向の前後両端部が固定されているので、係合しているロック爪２３とロック爪３３に係合を外す方向の力が作用した場合、図５に示した従来例のように一端部のみが固定され、他端部が自由である可撓部の場合に比して、ロック爪２３とロック爪３３の係合は外れにくくなる。
【００２３】
なお、本実施形態は、本発明を具体化した一例であって、本願発明の技術的範囲を限定するものではない。
【００２４】
【発明の効果】
以上説明したように、請求項１記載の発明によれば、一方のロック部を他方のロック部に容易に挿入してロックさせることができる。
また、請求項１記載の発明によれば、ロックさせた状態で、前記ロック部が相互にがたつくことがなく、また、ロックを外す方向の力が作用した場合、ロック爪の損傷を防ぐこともできるという優れた効果がある。
さらに、請求項１記載の発明によれば、互いにロックしたロック爪の係合が外れにくくなるという優れた効果がある。
【図面の簡単な説明】
【図１】（ａ）、（ｂ）はそれぞれ、本発明にかかるロック機構の一実施形態である、相互にロックするブラケットのロック部の斜視図、および電気接続箱のロック部の斜視図である。
【図２】前記ブラケットのロック部と電気接続箱のロック部がロックした状態の断面図である。
【図３】（ａ）、（ｂ）、（ｃ）はそれぞれ、図２のＡ−Ａ断面図、図３（ａ）のＢ−Ｂ断面図および図３（ａ）のＣ−Ｃ断面図である。
【図４】（ａ）、（ｂ）はそれぞれ、従来のブラケットのロック部および電気接続箱のロック部の斜視図である。
【図５】図４に示したブラケットのロック部と電気接続箱のロック部がロックした状態の断面図である。
【図６】図５のＡ−Ａ断面図である。
【符号の説明】
２１                ブラケット
２２、３２          ロック部
２２ａ、３２ａ      ロック基体部
２３、３３          ロック爪
２４                嵌合条部
２４ａ              張出部
２５                可撓性のある面
２５ａ、２５ｂ      端部
３１                電気接続箱
３４                嵌合枠部
３４ａ、３４ｂ      内面
３４ｃ              蓋部
【図１】
0004057289.tif 000002
【図２】
0004057289.tif 000003
【図３】
0004057289.tif 000004
【図４】
0004057289.tif 000005
【図５】
0004057289.tif 000006
【図６】
0004057289.tif 000007